(57)【要約】【課題】  使い勝手がよく、簡素な構造であり、ユーザが強いられる労力が低いプリンタ内蔵用卓を提供する。【解決手段】  ユニットとしてのプリンタ５０ｂの給排紙部５１が作業用天板下１１に位置するように降下した後に、プリンタ５０ｂを手前にスライドするユニット引出構造を有している。【選択図】  図６
2008143069.tif 000002
【特許請求の範囲】
【請求項１】
作業用天板を備え、紙媒体に対するハードウエア的処理を行うユニットを該作業用天板下に内蔵可能なユニット内蔵用卓であって、前記ユニットは、前記作業用天板上に紙媒体を供給および排出するための給排紙部が前記作業用天板に形成された給排紙口内に露出するようにして内蔵されるユニット内蔵用卓において、
前記給排紙部が前記作業用天板下に位置するように前記ユニットを降下した後に、該ユニットを手前にスライドするユニット引出構造を有することを特徴とするユニット内蔵用卓。
【請求項２】
前記給排紙口を前記ユニットの前記給排紙部からの供排紙を妨げない状態で覆う給排紙口カバーを有する請求項１に記載のユニット内蔵用卓。
【請求項３】
前記ユニットを上方に付勢する流体圧式スプリングを有する請求項１または２に記載のユニット内蔵用卓。
【請求項４】
前記ユニットは、紙媒体に対するハードウエア的処理として、紙媒体に印刷を行う機能、紙媒体を画像スキャンする機能、紙媒体を用いてファクシミリ通信を行う機能、紙媒体をカッティング、パンチ、切り抜き、エンボス加工する機能、紙媒体を綴じる機能、ならびに紙媒体を寸断する機能のうちの少なくとも一機能をなすものである請求項１乃至３のいずれか１つに記載のユニット内蔵用卓。
【請求項５】
前記ユニットは、紙媒体に印刷を行うプリンタである請求項１乃至３のいずれか１つに記載のユニット内蔵用卓。
【請求項６】
請求項１乃至５のいずれか１つに記載の前記ユニット内蔵用卓と、前記ユニットとを有することを特徴とするユニット内蔵卓。
【発明の詳細な説明】
【技術分野】
【０００１】
本発明は、金融機関等において使用される、通帳や伝票等の紙媒体に対して印刷等のハードウエア的処理を行うユニットを作業用天板下に内蔵可能なユニット内蔵用卓、ならびに、そのようなユニット内蔵用卓にユニットを内蔵して成るユニット内蔵卓に関する。
【背景技術】
【０００２】
この種のユニット内蔵卓の１つであるプリンタ内蔵卓には、プリンタ内蔵用卓の作業用天板上で通帳や伝票等の印刷媒体のソート、手書き、捺印などを行うユーザによる手作業と、作業用天板に内蔵されたプリンタによって印刷媒体に印刷を行う機械処理とを、滞りなく連続して行えることが望まれている。この要求を満たすべく、印刷媒体を供給したり排出するためのプリンタの給排紙部がプリンタ内蔵用卓の作業用天板に形成された給排紙口内に露出するように、即ち、給排紙部が作業用天板の裏面よりも高い位置になるように内蔵されている。これにより、作業用天板上で手作業がなされた印刷媒体をプリンタに供給したり、プリンタによる印刷がなされた印刷媒体を作業用天板上に排出することがスムーズになされる。
【０００３】
プリンタ内蔵卓を使用していく上で、インクリボン等のサプライ品の交換や、詰まった通帳や伝票等の紙媒体を取り出すなどの保守が必要となる。保守作業を行うためには、通常使用時にプリンタ内蔵用卓に内蔵されているプリンタの必要箇所を、プリンタ内蔵用卓外に露出させるようにした保守構造が必要である。このような保守構造は、プリンタ内蔵卓に限らず、種々のユニット内蔵卓においても必要である。
【０００４】
従来のプリンタ内蔵卓におけるプリンタの保守構造は、例えば、特許文献１に開示されている。
【０００５】
図１は、特許文献１に開示されたものに類似したプリンタの保守構造を有するプリンタ内蔵卓を示す斜視図である。
【０００６】
図１を参照すると、このプリンタ内蔵卓は、プリンタ内蔵用卓６０と、プリンタ内蔵用卓６０に内蔵されたプリンタ５０ａとを有している。プリンタ内蔵用卓６０は、作業用天板６１を備えている。作業用天板６１は、プリンタ内蔵用卓６０の本体に固定された天板片６１ａと、プリンタ内蔵用卓６０の本体にスライド可能に取り付けられた天板片６１ｂとから成っている。
【０００７】
プリンタ内蔵用卓６０において、プリンタ５０ａを保守する際には、作業用天板６１の天板片６１ｂを手前にスライドさせることによって天板片６１ａと天板片６１ｂとを離間させてスペースを作り、さらに、プリンタ５０ａを手前にスライドさせることによってプリンタの保守に関わる箇所を前記スペース内に露出させる。
【０００８】
このように、プリンタの保守を行うために、作業用天板の一部である天板片を可動に構成し、天板片を動かして作ったスペースにプリンタを露出させるようにした構造は、特許文献２にも開示されている。
【０００９】
【特許文献１】実公平７−１３５４６号公報
【特許文献２】特開平１０−２８７０２０号公報
【発明の開示】
【発明が解決しようとする課題】
【００１０】
しかし、特許文献１、特許文献２に開示された例をも含め、従来のユニット内蔵卓においては、ユニットの保守を行う際に作業用天板の一部を変位させるようになっているため、作業用天板上に普段置いている手作業に使う物等が作業用天板を動かすときに落下する虞があり、それらの物をユニットの保守に先立って別の場所に退避させておかねばならず、使い勝手が悪いという問題点があった。
【００１１】
さらに、ユニットの保守を行う際には、作業用天板の一部を動かすことに加え、作業用天板の一部を動かすことによってできたスペース内に露出するようにユニットをも動かすようになっているため、作業用天板の一部とユニットとの両方を可動とした複雑な構造が必要であるし、ユーザは両方を動かさねばならないという二重の労力を強いられる。
【００１２】
それ故、本発明の課題は、使い勝手がよく、簡素な構造であり、ユーザが強いられる労力が低いユニット内蔵用卓を提供することである。
【００１３】
本発明の他の課題は、上記のようなユニット内蔵用卓にユニットを内蔵して成るユニット内蔵卓を提供することである。
【課題を解決するための手段】
【００１４】
本発明によれば、作業用天板を備え、紙媒体に対するハードウエア的処理を行うユニットを該作業用天板下に内蔵可能なユニット内蔵用卓であって、前記ユニットは、前記作業用天板上に紙媒体を供給および排出するための給排紙部が前記作業用天板に形成された給排紙口内に露出するようにして内蔵されるユニット内蔵用卓において、前記給排紙部が前記作業用天板下に位置するように前記ユニットを降下した後に、該ユニットを手前にスライドするユニット引出構造を有することを特徴とするユニット内蔵用卓が得られる。
【００１５】
尚、前記給排紙口を前記ユニットの前記給排紙部からの供排紙を妨げない状態で覆う給排紙口カバーを有していてもよい。
【００１６】
本発明によるユニット内蔵用卓は、前記ユニットを上方に付勢する流体圧式スプリングをさらに有していてもよい。
【００１７】
前記ユニットは、紙媒体に対するハードウエア的処理として、紙媒体に印刷を行う機能、紙媒体を画像スキャンする機能、紙媒体を用いてファクシミリ通信を行う機能、紙媒体をカッティング、パンチ、切り抜き、エンボス加工する機能、紙媒体を綴じる機能、ならびに紙媒体を寸断する機能のうちの少なくとも一機能をなすものであってもよい。とりわけ、前記ユニットは、紙媒体に印刷を行うプリンタであってもよい。
【００１８】
本発明によればまた、前記ユニット内蔵用卓と、前記ユニットとを有することを特徴とするユニット内蔵卓が得られる。
【発明の効果】
【００１９】
本発明によるユニット内蔵用卓、ユニット内蔵卓は、使い勝手がよく、簡素な構造であり、ユーザが強いられる労力が低い。
【発明を実施するための最良の形態】
【００２０】
本発明によるユニット内蔵用卓は、作業用天板を備え、紙媒体に対するハードウエア的処理を行うユニットを作業用天板下に内蔵可能なユニット内蔵用卓である。ユニットは、作業用天板上に紙媒体を供給および排出するための給排紙部が作業用天板に形成された給排紙口内に露出するようにして内蔵されている。
【００２１】
本発明においては特に、給排紙部が作業用天板下に位置するようにユニットを降下した後に、ユニットを手前にスライドするユニット引出構造を有している。
【００２２】
本ユニット内蔵用卓は、ユニットの保守を行う際に作業用天板の一部を変位させる際に、作業用天板の一部を変位させる必要がない。このため、ユニットの保守を行う際に作業用天板の一部を変位させるようになっている従来のユニット内蔵用卓のように、作業用天板上に普段置いている手作業に使う物等が作業用天板を動かすときに落下するようなことがない。よって、それらの物をユニットの保守に先立って別の場所に退避させておく必要がなく、使い勝手がよい。
【００２３】
また、従来のユニット内蔵用卓のように作業用天板の一部とユニットとの両方を可動とした複雑な構造は不要であるし、ユーザはユニットのみを動かせばよく、労力が軽減される。
【００２４】
尚、本ユニット内蔵用卓は、給排紙口をユニットの給排紙部からの供排紙を妨げない状態で覆う給排紙口カバーを有していてもよい。給排紙口カバーを有することにより、ユニットが降下されている時であっても、作業用天板上に普段置いている物が給排紙口から落下することがない。
【００２５】
また、ユニットを上方に付勢する流体圧式スプリングを有していてもよい。このように構成することにより、降下させていたユニットを軽い操作力で容易に上昇させて元に戻すことができる。
【００２６】
さらに、ユニットは、紙媒体に対するハードウエア的処理として、紙媒体に印刷を行う機能、紙媒体を画像スキャンする機能、紙媒体を用いてファクシミリ通信を行う機能、紙媒体をカッティング、パンチ、切り抜き、エンボス加工する機能、紙媒体を綴じる機能、ならびに紙媒体を寸断する機能のうちの少なくとも一機能をなすものであればよい。
【００２７】
本発明によればまた、上記のようなユニット内蔵用卓と、上記ユニットとを有するユニット内蔵卓が得られる。
【実施例】
【００２８】
以下、図面を参照して、本発明の実施例によるユニット内蔵用卓ならびにユニット内蔵卓について説明する。
【００２９】
図２は、本発明の実施例によるユニット内蔵卓としてのプリンタ内蔵卓の分解斜視図である。
【００３０】
図２を参照すると、金融機関等において使用される本プリンタ内蔵卓は、ユニット内蔵用卓としてのプリンタ内蔵用卓１０と、プリンタ内蔵用卓１０に内蔵された、通帳や伝票等の紙媒体に対して印刷処理を行うユニットとしてのプリンタ５０ｂとを有している。
【００３１】
プリンタ内蔵用卓１０は、作業用天板１１を備え、プリンタ５０ｂを作業用天板１１下に内蔵可能なものである。プリンタ５０ｂは、作業用天板１１上に紙媒体を供給および排出するための給排紙部５１が作業用天板１１に形成された給排紙口内に露出するように、即ち、即ち、給排紙部５１が作業用天板１１の裏面よりも高い位置になるようにして内蔵される。
【００３２】
本発明においては特に、給排紙部５１が作業用天板１１下に位置するようにプリンタ５０ｂを降下した後に、プリンタ５０ｂを手前にスライドする引出構造を有している。
【００３３】
プリンタ内蔵用卓１０はまた、作業用天板１１に形成された給排紙口をプリンタ５０ｂの給排紙部５１からの供排紙を妨げない状態で覆う給排紙口カバー１２を有している。
【００３４】
以下、本実施例におけるプリンタの引出構造について詳しく説明する。
【００３５】
プリンタ内蔵用卓１０の左側板の内側面には切欠１４が形成されており、そこにロックピン３１が固定されている。また、後方には、スライドストッパ３０が固定されている。作業用天板１１に形成された給排紙口には、給排紙口カバー１２が取り付けられている。
【００３６】
プリンタ内蔵用卓１０は、リンクシャフト２１と、略Ｌ字状の操作レバー２４に固定されているレバースタッド２８に取付部５２および５３で保持される。
【００３７】
リンクシャフト２１は、ベースシャフト２０で回動可能にベース１６に取り付けられたフロアリンク１８に組み込まれており、流体圧式スプリングとしてのガススプリング２２によって上方に付勢されている。
【００３８】
ストッパスタッド１９は、フロアリンク１８に圧入されている。
【００３９】
リンクシャフト２１の端にはロッド２３が回動可能に組みつけられており、操作レバー２４と連結されている。
【００４０】
操作レバー２４は、ベース１６と一体構造のベースサイド１７に回動可能に取り付けられている。操作レバー２４の取手部分には、ロックラッチ２６と、ロックラッチ２６と連動するロックレバー２５とが取り付けられている。
【００４１】
また、ベースサイド１７には、操作レバー２４の回転を規制するレバーストッパーピン２９が圧入され、操作レバー２４のストッパであるレバーストッパ２７が図示しないスプリングによって矢印ｃ方向に回転するように取り付けられている。
【００４２】
レバーストッパ２７は、ベースサイド１７の穴から飛び出して切欠１４に接触するようになっている。
【００４３】
ベース１６およびベースサイド１７の両側にはスライドレール１５が取り付けられており、スライドレール１５のアウター側はプリンタ内蔵用卓１０に取り付けられることで、ベース１６およびベースサイド１７は前後にスライド可能となる。
【００４４】
次に、図２ならびに図３〜図１０を参照して、動作保守の際にプリンタ５０ｂを引き出す動作を説明する。
【００４５】
図３は、通常稼動時（通常使用時）の本プリンタ内蔵卓の内部を透視的に示した側面図であり、図４および図５は、図３と同じ状態時の本プリンタ内蔵卓の斜視図および仮想的に天板を取り除いて示した斜視図である。
【００４６】
図３〜図５を参照すると、通常稼動時には、プリンタ５０ｂは上昇された位置にあり、その給排紙部５１は作業用天板１１に形成された給排紙口内に露出している。即ち、給排紙部５１は、作業用天板１１の上面よりも高い位置にあり、給排紙口カバー１２の凹状の内側面に入り込んでいる位置している。
【００４７】
尚、このようにプリンタ５０ｂが上昇した状態では、操作レバー２４に取り付けられたロックラッチ２６がプリンタ内蔵用卓１０のロックピン３１でロックされているため、操作レバー２４を不用意に引き上げることができないようになっている。プリンタ５０ｂが上昇した状態ではまた、ストッパスタッド１９がスライドストッパ３０の上面より低い位置になるため、ロックレバー２５を引いてロックラッチ２６をロックピン３１から解除しても、ベース１６およびベースサイド１７をスライドさせることはできない。即ち、プリンタ５０ｂは、一端下降されなければ引き出しができないようになっており、通常使用時に誤って引き出してしまうことが防止される。
【００４８】
図６は、プリンタ５０ｂの引出動作の第１段階にある本プリンタ内蔵卓の内部を透視的に示した側面図であり、図７および図８は、図６と同じ状態時の本プリンタ内蔵卓の斜視図および仮想的に天板を取り除いて示した斜視図である。
【００４９】
図６〜図８を参照すると、この引出動作の第１段階では、操作レバー２４を引き上げることによってプリンタ５０ｂが降下した状態にある。
【００５０】
より詳しくは、ロックレバー２５を引いてロックラッチ２６をロックピン３１から解除すると、ベースサイド１７に固定されているレバーストッパーピン２９に当たるまで操作レバー２４を引き上げることができる。
【００５１】
この状態で操作レバー２４を引き上げると、ロッド２３で連結されたフロアリンク１８が回転し、プリンタ５０ｂが降下しながら手前に回転する。プリンタ５０ｂが下降すると、その給排紙部５１は作業用天板１１の下面よりも低い位置になる。
【００５２】
プリンタ５０ｂが降下した状態になると、フロアリンク１８に固定されたストッパスタッドがスライドストッパ３０の上面より高い位置になるため、操作レバー２４を引っ張ることでベース１６とベースサイド１７をスライドさせることができる。
【００５３】
操作レバー２４をレバーストッパーピン２９に当たるまで引いた位置では、リンクシャフト２１とレバースタッド２８、および操作レバー２４の取り付け位置がほぼ一直線になるため、ガススプリング２２（図２に示す）の力が無効化され、プリンタ５０ｂが降下した位置で停止できる。
【００５４】
プリンタ５０ｂと給排紙口カバー１２は分離してあるため、プリンタ５０ｂが降下しても給排紙口カバー１２は作業用天板１１に残る。
【００５５】
図９は、プリンタ５０ｂの引出動作の第２段階にある本プリンタ内蔵卓の内部を透視的に示した側面図であり、図１０は、図９と同じ状態時の本プリンタ内蔵卓の斜視図である。
【００５６】
図９および図１０を参照すると、この引出動作の第２段階では、操作レバー２４を手前に引っ張ることによってプリンタ５０ｂが手前に引き出された状態にある。
【００５７】
より詳しくは、ベースサイド１７を引き出すと、プリンタ内蔵用卓１０の切欠１４で押されて下がっていたレバーストッパ２７が回転し、レバースタッド８の部分をロックする。このため、プリンタ５０ｂを引き出した状態では操作レバー２４を押し込めなくなり保守時に誤ってプリンタ５０ｂを上昇させてしまうことを防止する。レバーストッパ２７は図４の位置までベースサイド１７を押し込むと、プリンタ内蔵用卓１０の切欠１４に押されてロックが解除される。
【００５８】
以上のようにして、プリンタ５０ｂは、ユーザに対して露出され、保守、点検、交換等が可能になる。尚、保守、点検、交換等が終わって再び格納する際には、引き出しの場合と同様に操作レバー２４とロックレバー２５とを操作して、引き戻した後に、上昇させる。
【産業上の利用可能性】
【００５９】
以上説明した実施例に限定されることなく、本発明は、当該特許請求の範囲に記載された技術範囲内であれば、種々の変形が可能であることは云うまでもない。このことは、本発明が適用される用途についても、同様である。例えば、本発明は、プリンタを内蔵可能なプリンタ内蔵用卓ならびにプリンタを内蔵したプリンタ内蔵卓に限らず、紙媒体に対するハードウエア的処理として、紙媒体に印字、コーティング、押印を含む印刷を行う機能、紙媒体を画像スキャンする機能、紙媒体を用いてファクシミリ通信を行う機能、紙媒体をカッティング、パンチ、切り抜き、エンボス加工する機能、紙媒体を綴じる機能、ならびに紙媒体を寸断する機能のいずれか単機能、あるいは、いずれか二機能以上を組み合わせた複数機能をなすプリンタを内蔵可能なプリンタ内蔵用卓ならびにこのようなプリンタを内蔵したプリンタ内蔵卓に対しても、適用可能である。また、紙媒体に限らず、プラスチックや金属から成るカードや板状バルク等のハードウエア的媒体（換言すれば、ハードウエア処理を行う対象物）に対してハードウエア的処理を行うプリンタを内蔵可能なプリンタ内蔵用卓ならびにこのようなプリンタを内蔵したプリンタ内蔵卓に対しても、適用可能である。
【図面の簡単な説明】
【００６０】
【図１】従来のプリンタ内蔵卓を示す斜視図である。
【図２】本発明の実施例によるプリンタ内蔵卓を示す分解斜視図である。
【図３】図２に示したプリンタ内蔵卓の動作を説明するための図であり、通常稼動時のプリンタ内蔵卓の内部を透視的に示した側面図である。
【図４】図３と同じ状態のプリンタ内蔵卓の斜視図である。
【図５】図３と同じ状態のプリンタ内蔵卓を仮想的に天板を取り除いて示した斜視図である。
【図６】図２に示したプリンタ内蔵卓の動作を説明するための図であり、第１段階の引き出し動作時のプリンタ内蔵卓の内部を透視的に示した側面図である。
【図７】図６と同じ状態のプリンタ内蔵卓の斜視図である。
【図８】図６と同じ状態のプリンタ内蔵卓を仮想的に天板を取り除いて示した斜視図である。
【図９】図２に示したプリンタ内蔵卓の動作を説明するための図であり、第２段階の引き出し動作時のプリンタ内蔵卓の内部を透視的に示した側面図である。
【図１０】図９と同じ状態のプリンタ内蔵卓の斜視図である。
【符号の説明】
【００６１】
１０、６０    プリンタ内蔵用卓
１１、６１    作業用天板
１２    給排紙口カバー
１４    切欠
１５    スライドレール
１６    ベース
１７    ベースサイド
１８    フロアリンク
１９    ストッパスタッド
２０    ベースシャフト
２１    リンクシャフト
２２    ガススプリング
２３    ロッド
２４    操作レバー
２５    ロックレバー
２６    ロックラッチ
２７    レバーストッパ
２８    レバースタッド
２９    レバーストッパーピン
３０    スライドストッパ
３１    ロックピン
５０ａ、５０ｂ  プリンタ
５１    給排紙部
５２、５３    取付部
６１ａ、６１ｂ  天板片
【図１】
2008143069.tif 000003
【図２】
2008143069.tif 000004
【図３】
2008143069.tif 000005
【図４】
2008143069.tif 000006
【図５】
2008143069.tif 000007
【図６】
2008143069.tif 000008
【図７】
2008143069.tif 000009
【図８】
2008143069.tif 000010
【図９】
2008143069.tif 000011
【図１０】
2008143069.tif 000012